(57)【要約】【課題】  単体の携帯端末に手を加えることなくダイバーシティ受信が可能で、かつプロセッサに単体以上の処理能力を付与することが可能な携帯端末の提供。【解決手段】  データ通信を行うことが可能な同種の複数の端末、一例として２台の端末（端末Ａ４１および端末Ｂ５１）を、各々の端末の外部コネクタ１８を介して接続し、これにより両端末を同期させ、かつダイバーシティ受信を行わせ、さらに両端末のプロセッサ９に処理を分担させる。【選択図】      図１
2008060748.tif 000002
【特許請求の範囲】
【請求項１】
データ通信が可能な携帯端末であって、
他の携帯端末と同期を取る同期手段と、他の携帯端末が受信したデータと自携帯端末が受信したデータとを合成しダイバーシティ受信を行うダイバーシティ受信手段とを含むことを特徴とする携帯端末。
【請求項２】
他の携帯端末の制御装置と自携帯端末の制御装置とを接続し、制御処理を分担させる制御装置接続手段を含むことを特徴とする請求項１記載の携帯端末。
【請求項３】
前記制御装置による制御により所定データを表示する画面表示部と、前記制御装置による制御により所定音声を出力するスピーカとが含まれ、複数の制御装置が接続されることにより、前記画面表示部における画面表示および前記スピーカにおける音声の制御が分担されることを特徴とする請求項２記載の携帯端末。
【請求項４】
２台以上の他の携帯端末と接続されることを特徴とする請求項１〜３いずれかに記載の携帯端末。
【請求項５】
データ通信が可能な携帯端末の通信方法であって、
他の携帯端末と同期を取る同期ステップと、他の携帯端末が受信したデータと自携帯端末が受信したデータとを合成しダイバーシティ受信を行うダイバーシティ受信ステップとを含むことを特徴とする通信方法。
【請求項６】
他の携帯端末の制御装置と自携帯端末の制御装置とを接続し、制御処理を分担させる制御装置接続ステップを含むことを特徴とする請求項５記載の通信方法。
【請求項７】
前記制御装置による制御により所定データを表示する画面表示部と、前記制御装置による制御により所定音声を出力するスピーカとが含まれ、複数の制御装置が接続されることにより、前記画面表示部における画面表示および前記スピーカにおける音声の制御が分担されることを特徴とする請求項６記載の通信方法。
【請求項８】
２台以上の他の携帯端末と接続されることを特徴とする請求項５〜７いずれかに記載の通信方法。
【請求項９】
データ通信が可能な携帯端末の通信方法のプログラムであって、
コンピュータに、他の携帯端末と同期を取る同期ステップと、他の携帯端末が受信したデータと自携帯端末が受信したデータとを合成しダイバーシティ受信を行うダイバーシティ受信ステップとを実行させるためのプログラム。
【請求項１０】
他の携帯端末の制御装置と自携帯端末の制御装置とを接続し、制御処理を分担させる制御装置接続ステップを含むことを特徴とする請求項９記載のプログラム。
【請求項１１】
前記制御装置による制御により所定データを表示する画面表示部と、前記制御装置による制御により所定音声を出力するスピーカとが含まれ、複数の制御装置が接続されることにより、前記画面表示部における画面表示および前記スピーカにおける音声の制御が分担される画面表示および音声制御分担ステップを含むことを特徴とする請求項１０記載のプログラム。
【請求項１２】
２台以上の他の携帯端末と接続されることを特徴とする請求項９〜１１いずれかに記載のプログラム。
【発明の詳細な説明】
【技術分野】
【０００１】
本発明は、携帯端末およびその通信方法ならびにプログラムに関し、特に２台の携帯端末を接続して通信を行う携帯端末およびその通信方法ならびにプログラムに関する。
【背景技術】
【０００２】
図４は従来のこの種の携帯端末の一例の構成図である。同図を参照しながら従来のこの種の携帯端末、一例としてＣＤＭＡ（Code Division Multiple Access ）方式携帯電話の構成例について説明する。
【０００３】
同図を参照すると、従来のＣＤＭＡ方式携帯電話の一例は、アンテナ１と、アンテナ共用器２と、送受信装置６１と、発振器１６と、基準カウンタ１９と、画像表示部２１と、スピーカ２２と、キー入力部２３と、データメモリ１０とを含んで構成される。
【０００４】
また、送受信装置６１は受信回路３と、アナログ／デジタル変換部（Ａ／Ｄ）４と、フィンガー部５と、レイク（Ｒａｋｅ）合成部６と、復号化回路８と、データ処理・制御用プロセッサ９と、符号化回路１１と、拡散・変調部１２と、デジタル／アナログ変換部（Ｄ／Ａ）１３と、送信回路１４とを含んで構成される。
【０００５】
同図において、アンテナ１で受信した電波はアンテナ共用器２を介して受信回路３でダウンコンバートされ、Ａ／Ｄ変換部４でアナログ信号からデジタル信号に変換される。デジタル化された受信信号はフィンガー部５でマルチパス毎に逆拡散および復調された後レイク合成部６で複数のパスの復調結果が合成される。
【０００６】
レイク合成されたデータは復号化回路８に入力され、誤り訂正などのために符号化されたデータを復号する。復号化された受信データはデータ処理・制御用プロセッサ９へ入力され、暗号化解除や、ヘッダ除去など、通信システムで規定されているデータ加工処理を行う。この結果、取得したデータはデータメモリ１０へ保存される。
【０００７】
一方、送信データはデータ処理・制御用プロセッサ９でヘッダ付加および暗号化など、通信システムで規定されているデータ加工処理を行った後、符号化回路１１で誤り訂正符号により符号化される。符号化されたデータは拡散・変調部１２で拡散および変調されＤ／Ａ変換部１３でデジタル信号からアナログ信号に変換される。このアナログ信号は送信回路１４でアップコンバートされた後、アンテナ共用器２を介してアンテナ１から基地局に送信される。
【０００８】
これらの回路は発振器１６により生成される基準クロックに基づき動作する。本端末はこの基準クロックを元に電源投入時からの基準クロックのカウント値を保持した基準カウンタ１９を有しており、基地局とのタイミングを合わせるための時計として利用される。
【０００９】
画面表示部２１は受信データが静止画あるいは動画データである場合にそれらを表示し、スピーカー２２は受信データが音楽あるいは音声データであった場合に音を鳴らす。キー入力部２３は端末操作を行うための部位である。
【００１０】
一方、ともに通信のみが可能な待機状態にある機器Ａおよび機器Ｂを、それぞれ待機状態から所定の処理動作が実行可能な動作モードに切り換えて、機器Ａは機器Ｂの機能を用いた、単独では不可能であった処理を実行する携帯機器が開示されている（特許文献１参照）。
【００１１】
また、携帯電話と携帯電話用アダプタとを接続してダイバーシティ処理を行う通信システムが開示されている（特許文献２参照）。
【００１２】
また、カメラ付き携帯電話機を複数台接続して画像を分担して撮影する技術が開示されている（特許文献３参照）。
【００１３】
また、複数の携帯情報端末を、側面コネクタを介して電気的に接続し、表示コンテンツが同一となるように同期させ、あるいはカメラ部による撮像を同期させる携帯情報端末が開示されている（特許文献４参照）。
【００１４】
また、この種の他の携帯端末の例が特許文献５および６に開示されている。
【００１５】
【特許文献１】特開２００２−３１４６４７号公報（段落００５６および図７）
【特許文献２】特開２００４−３６４０７７号公報（段落００３６、００４１、００４４、００４５および図９）
【特許文献３】特開２００５−２６９５２１号公報（段落００２０，００２９、図２および図５）
【特許文献４】特開２００６−０１８３６５号公報（段落００２８、００４２，００４５、図３および図９）
【特許文献５】特開２００６−０２０００５号公報
【特許文献６】特開平１０−０５６４１２号公報
【発明の開示】
【発明が解決しようとする課題】
【００１６】
携帯電話を利用したデータ通信では標準化団体である３ＧＰＰ(3rd Generation Partnership Project)で規定されているＨＳＤＰＡ(High Speed Downlink Packet Access) などが有り、数Ｍｂｐｓから数１０Ｍｂｐｓ程度まで高速通信サービスが開始されている。
【００１７】
しかしながら、従来の携帯端末、一例としてＣＤＭＡ方式の受信機においては、次のような課題がある。
【００１８】
第１の課題は、より高速なデータ通信を行うためには受信感度の向上が必要であり、例えば受信ダイバーシティ方式を採用した場合には受信回路が２系統必要になってしまうため、端末コストが上がり、消費電流も増えてしまう点である。
【００１９】
第２の課題は、より高速データ通信を行うためにはデータ処理を行うプロセッサの処理能力の向上が必要であり、より高性能なプロセッサを搭載した場合には端末コストが上がり、消費電流も増えてしまう点である。
【００２０】
一方、特許文献１開示の技術は、機器Ａおよび機器Ｂを接続して、単独では不可能な処理を実行する、としか記載されておらず、具体的にどのような処理を行うのかは不明である。すなわち、２台の機器を接続してダイバーシティ受信を行う構成は全く記載されていない。
【００２１】
また、特許文献２開示の技術は、電話機本体を２台接続する構成ではないため、構成が本発明と全く相違する。
【００２２】
また、特許文献３開示の技術は、電話機本体を複数台接続する構成であるが、その目的が本発明と全く相違し、したがってその構成も本発明と全く相違する。
【００２３】
また、特許文献４開示の技術は、特許文献３開示の技術と同様に、電話機本体を複数台接続する構成であるが、その目的が本発明と全く相違し、したがってその構成も本発明と全く相違する。
【００２４】
また、特許文献５および６開示の技術にも本発明の構成は全く記載されていない。
【００２５】
そこで本発明の目的は、単体の携帯端末に手を加えることなくダイバーシティ受信が可能で、かつプロセッサに単体以上の処理能力を付与することが可能な携帯端末およびその通信方法ならびにプログラムを提供することにある。
【課題を解決するための手段】
【００２６】
前記課題を解決するために、本発明による携帯端末は、データ通信が可能な携帯端末であって、他の携帯端末と同期を取る同期手段と、他の携帯端末が受信したデータと自携帯端末が受信したデータとを合成しダイバーシティ受信を行うダイバーシティ受信手段とを含むことを特徴とする。
【００２７】
また、本発明による通信方法は、データ通信が可能な携帯端末の通信方法であって、他の携帯端末と同期を取る同期ステップと、他の携帯端末が受信したデータと自携帯端末が受信したデータとを合成しダイバーシティ受信を行うダイバーシティ受信ステップとを含むことを特徴とする。
【００２８】
また、本発明によるプログラムは、データ通信が可能な携帯端末の通信方法のプログラムであって、コンピュータに、他の携帯端末と同期を取る同期ステップと、他の携帯端末が受信したデータと自携帯端末が受信したデータとを合成しダイバーシティ受信を行うダイバーシティ受信ステップとを実行させるためのプログラムであることを特徴とする。
【００２９】
ここで、本発明の作用を述べる。本発明に係る携帯端末は、データ通信を行うことが可能な同種の複数の端末、一例として２台の端末（端末Ａと端末Ｂ）を電気的に接続してダイバーシティ受信を行わせ、かつ両端末のプロセッサに処理を分担させる。これにより、単体の携帯端末に手を加えることなくダイバーシティ受信が可能で、かつプロセッサに単体以上の処理能力を付与することが可能となる。
【発明の効果】
【００３０】
本発明によれば、上記構成を含むことにより、単体の携帯端末に手を加えることなくダイバーシティ受信が可能で、かつプロセッサに単体以上の処理能力を付与することが可能となる。
【発明を実施するための最良の形態】
【００３１】
以下、本発明の実施例について添付図面を参照しながら説明する。
【実施例１】
【００３２】
図１は本発明に係る携帯端末の第１実施例の構成図である。同図は携帯端末の一例として、ＣＤＭＡ方式の携帯電話端末の一例を示している。なお、同図において前述の図４と同様の構成部分については同一番号を付し、その説明を省略する。
【００３３】
図１を参照すると、本発明に係る携帯端末の第１実施例は、アンテナ１と、アンテナ共用器２と、送受信装置３１と、発振器１６と、スイッチ１７と、外部コネクタ１８と、基準カウンタ１９と、スイッチ２０と、画像表示部２１と、スピーカ２２と、キー入力部２３と、データメモリ１０と、プログラム格納メモリ２４とを含んで構成される。
【００３４】
また、送受信装置３１は受信回路３と、アナログ／デジタル変換部（Ａ／Ｄ）４と、フィンガー部５と、レイク（Ｒａｋｅ）合成部６と、スイッチ７と、復号化回路８と、データ処理・制御用プロセッサ９と、符号化回路１１と、拡散・変調部１２と、デジタル／アナログ変換部（Ｄ／Ａ）１３と、送信回路１４とを含んで構成される。
【００３５】
なお、スイッチ１７および２０はオン・オフ（閉・開）スイッチであり、スイッチ７は２接点切替えスイッチである。また、プログラム格納メモリ２４には本発明に係る通信方法のプログラムが格納されている。なお、プログラム格納メモリ２４については後述する。
【００３６】
同図において、アンテナ１で受信した電波はアンテナ共用器２を介して受信回路３でダウンコンバートされ、Ａ／Ｄ変換部４でアナログ信号からデジタル信号に変換される。デジタル化された受信信号はフィンガー部５でマルチパス毎に逆拡散、復調された後レイク合成部６で複数のパスの復調結果が合成される。
【００３７】
なお、レイク合成部６には外部コネクタ１８から入力された復調データの入力も可能であり、また、スイッチ７により合成結果を復号化回路８または外部コネクタ１８を介して外部に出力可能な構成としている。スイッチ７を介して復号化回路８に入力された場合は、誤り訂正などのために符号化されたデータを復号する。
【００３８】
復号化された受信データはデータ処理・制御用プロセッサ９へ入力され、暗号化解除や、ヘッダ除去など、通信システムで規定されているデータ加工処理を行う。この結果、取得したデータはデータメモリ１０へ保存される。
【００３９】
一方、送信データはデータ処理・制御用プロセッサ９でヘッダ付加、暗号化など、通信システムで規定されているデータ加工処理を行った後、符号化回路１１で誤り訂正符号により符号化される。符号化されたデータは拡散・変調部１２で拡散および変調されＤ／Ａ変換部１３でデジタル信号からアナログ信号に変換される。このアナログ信号は送信回路１４でアップコンバートされた後、アンテナ共用器２を介してアンテナ１から基地局に送信される。
【００４０】
これらの回路は発振器１６により生成される基準クロックに基づき動作するが、スイッチ１７により端末内部の発振器１６と外部コネクタ１８を介して外部発振器からの供給を切り替えることができる。また、本端末はこの基準クロックを元に電源投入時からの基準クロックのカウント値を保持した基準カウンタ１９を有しており、基地局とのタイミングを合わせるための時計として利用される。この基準カウンタ１９に関してもスイッチ２０を介して端末内部の値と外部コネクタ１８を介して外部カウンタの値を切り替えることができる。
【００４１】
画面表示部２１は受信データが静止画あるいは動画データである場合にそれらを表示し、スピーカー２２は受信データが音楽あるいは音声データであった場合に音を鳴らす。キー入力部２３は端末操作を行うための部位である。
【００４２】
図２は本発明に係る携帯端末を一例として２台、外部コネクタ１８を介して電気的に接続した状態を示す構成図である。同図を参照すると、携帯端末Ａ４１と携帯端末Ｂ５１とが外部コネクタ１８を介して電気的に接続されている。
【００４３】
携帯端末Ａ４１と携帯端末Ｂ５１との接続は接続ケーブル２５を用いて行われる。接続ケーブル２５は少なくとも信号線２５−１〜２５−４を含んで構成される。
【００４４】
信号線２５−１は外部コネクタ１８を介して携帯端末Ａ４１のスイッチ１７の一端と、携帯端末Ｂ５１のスイッチ１７の一端とを接続する。信号線２５−２は外部コネクタ１８を介して携帯端末Ａ４１のスイッチ２０の一端と、携帯端末Ｂ５１のスイッチ２０の一端とを接続する。信号線２５−３は外部コネクタ１８を介して携帯端末Ａ４１のレイク合成部６の入力端子と、携帯端末Ｂ５１のスイッチ７の外部コネクタ１８出力側端子とを接続する。信号線２５−４は外部コネクタ１８を介して携帯端末Ａ４１のデータ処理・制御用プロセッサ９の外部制御入出力端子９ａと、携帯端末Ｂ５１のデータ処理・制御用プロセッサ９の外部制御入出力端子９ａとを接続する。
【００４５】
また、本実施例では、一例として、携帯端末Ａ４１側のスイッチ１７および２０はともにオン（閉）、スイッチ７は復号化回路８側に切り替えられており、携帯端末Ｂ５１側のスイッチ１７および２０はともにオフ（開）、スイッチ７は外部コネクタ１８側に切り替えられている。
【００４６】
それぞれの構成要素は図１の携帯端末と同様であるが、接続ケーブル２５をつないだことをデータ処理・制御用プロセッサ９が認識すると端末Ｂ５１側のレイク合成部６の出力はスイッチ７により外部コネクタ１８を介して端末Ａ４１側のレイク合成部６に入力され、２台の携帯端末Ａ４１およびＢ５１を使用したスペースダイバーシティ受信機として動作する。
【００４７】
この際、発振器１６はスイッチ１７により端末Ａ４１側の発振器１６が共用され、同様に基準カウンタ１９もスイッチ２０により端末Ａ４１側のカウンタ値が共用される。これにより、２つの携帯端末Ａ４１およびＢ５１のタイミング同期が取られる。
【００４８】
また、データ処理・制御用プロセッサ９も外部コネクタ１８を介してプロセッサ間通信が可能となり、２つのプロセッサを利用できるため、処理能力が約２倍になり、高速データ通信の処理が可能となる。
【００４９】
さらに、画面表示部２１およびスピーカ２２も２台分使用できるため、画面表示内容や音の出力チャネル数を増加することが出来る。
【００５０】
以上説明したように、本発明の第１実施例によれば、家族や友人などで所有する携帯電話どうしを接続することが可能となる。これにより２台の端末の受信回路を利用できるため、スペースダイバーシティ効果により受信性能を改善することが可能となる。同時に２台分のプロセッサの処理能力を利用できるため、単体より約２倍の高速通信データを処理することが可能となる。また、単体では、受信回路およびプロセッサの処理能力を増加しなくても済むため、端末コストおよび消費電流が増加しない。
【実施例２】
【００５１】
第２実施例は携帯端末の通信方法に関するものである。図３は本発明に係る携帯端末の通信方法の手順の一例を示すフローチャートである。同図は携帯端末Ａ４１およびＢ５１のデータ処理・制御用プロセッサ９の制御動作を示している。
【００５２】
なお、動作説明の便宜上、携帯端末Ａ４１をメイン（主端末）、携帯端末Ｂ５１をサブ（副端末）と設定しているが、その逆の設定も可能である。
【００５３】
携帯端末Ａ４１のデータ処理・制御用プロセッサ９は、外部コネクタ１８にサブ端末が接続されたかを判定する（ステップＳ１）。なお、接続された端末がサブかメインかは外部コネクタ１８に識別端子などを設けることで判定できる。
【００５４】
サブ端末が接続されている場合（ステップＳ１にて“Ｙｅｓ”の場合）はステップＳ２へ、接続されていない場合（ステップＳ１にて“Ｎｏ”の場合）はステップＳ１１へ進む。
【００５５】
外部コネクタ１８にサブ端末が接続されている場合（ステップＳ１にて“Ｙｅｓ”の場合）は、同データ処理・制御用プロセッサ９は、スイッチ１７および２０をオン（閉）にし、自携帯端末Ａ４１の発振器１６および基準カウンタ１９を接続する（ステップＳ２）。
【００５６】
同データ処理・制御用プロセッサ９は、スイッチ７を複合化回路８側へ切り替える（ステップＳ３）。
【００５７】
同データ処理・制御用プロセッサ９は、データ伝送に必要な回路の電源をオンにする（ステップＳ４）。
【００５８】
同データ処理・制御用プロセッサ９は、サブ端末Ｂ５１側より入力されたレイク合成後信号を自端末Ａ４１のフィンガー出力信号とレイク合成する（ステップＳ５）。
【００５９】
同データ処理・制御用プロセッサ９は、サブ端末Ｂ５１のデータ処理・制御用プロセッサ９に割り振る処理を、接続ケーブル２５を介して通知する（ステップＳ６）。
【００６０】
同データ処理・制御用プロセッサ９は、サブ端末Ｂ５１のスピーカ２２に出力する音声チャネルを通知する（ステップＳ７）。
【００６１】
同データ処理・制御用プロセッサ９は、サブ端末Ｂ５１の画面表示部２１に表示する情報を通知する（ステップＳ８）。
【００６２】
次に、外部コネクタ１８にサブ端末が接続されていない場合（ステップＳ１にて“Ｎｏ”の場合）について説明する。
【００６３】
ステップＳ１１では、外部コネクタ１８にメイン端末（携帯端末Ａ４１）が接続されたかを判定する。すなわち、メイン端末（携帯端末Ａ４１）が接続されたかを判定するのはサブ端末（携帯端末Ｂ５１）であるため、ステップＳ１２〜Ｓ１７は携帯端末Ｂ５１のデータ処理・制御用プロセッサ９の動作となる。
【００６４】
一方、ステップＳ２１〜Ｓ２３は、外部コネクタ１８にメイン端末（携帯端末Ａ４１）もサブ端末（携帯端末Ｂ５１）も接続されていない場合を示しており、これはメイン端末（携帯端末Ａ４１）およびサブ端末（携帯端末Ｂ５１）の単独動作を示している。
【００６５】
まず、ステップＳ１１〜Ｓ１７の動作について説明する。
【００６６】
携帯端末Ｂ５１のデータ処理・制御用プロセッサ９は、外部コネクタ１８にメイン端末（携帯端末Ａ４１）が接続されたかを判定する（ステップＳ１１）。
【００６７】
外部コネクタ１８にメイン端末（携帯端末Ａ４１）が接続された場合（ステップＳ１１にて“Ｙｅｓ”の場合）、携帯端末Ｂ５１のデータ処理・制御用プロセッサ９は、スイッチ１７および２０をオフ（開）にし、携帯端末Ａ４１の発振器１６および基準カウンタ１９を接続する（ステップＳ１２）。
【００６８】
同データ処理・制御用プロセッサ９は、スイッチ７を外部コネクタ１８側出力とし、自端末（携帯端末Ｂ５１）のレイク合成データをメイン端末（携帯端末Ａ４１）に出力する（ステップＳ１３）。
【００６９】
同データ処理・制御用プロセッサ９は、未使用回路の電源をオフにする（ステップＳ１４）。図２のサブ端末（携帯端末Ｂ５１）では復号化回路８、符号化回路１１、拡散・変調部１２、デジタル／アナログ変換部（Ｄ／Ａ）１３、送信回路１４、発振器１６、基準カウンタ１９およびキー入力部２３は使用しない。
【００７０】
同データ処理・制御用プロセッサ９は、メイン端末（携帯端末Ａ４１）から自端末（携帯端末Ｂ５１）のデータ処理・制御用プロセッサ９に割り振られた処理を受け取り、処理を行う（ステップＳ１５）。
【００７１】
同データ処理・制御用プロセッサ９は、メイン端末（携帯端末Ａ４１）からスピーカ２２に出力するチャネル通知を受け、該当チャネルの音声をスピーカ２２から出力する（ステップＳ１６）。
【００７２】
同データ処理・制御用プロセッサ９は、メイン端末（携帯端末Ａ４１）から画面表示部２１に表示する情報通知を受け取り、画面表示部２１に出力する（ステップＳ１７）。
【００７３】
次に、外部コネクタ１８にメイン端末（携帯端末Ａ４１）が接続されなかった場合（ステップＳ１１にて“Ｎｏ”の場合）、
【００７４】
メインおよびサブ端末（携帯端末Ａ４１およびＢ５１）のデータ処理・制御用プロセッサ９は、スイッチ１７および２０をオン（閉）にし、自端末の発振器１６および基準カウンタ１９を接続する（ステップＳ２１）。
【００７５】
同データ処理・制御用プロセッサ９は、スイッチ７を自端末の複合化部８側への出力とする（ステップＳ２２）。
【００７６】
同データ処理・制御用プロセッサ９は、データ伝送に必要な回路の電源をオンにする（ステップＳ２３）。
【００７７】
以上説明したように、本発明の第２実施例によれば、第１実施例と同様の効果を奏する通信方法が得られる。
【実施例３】
【００７８】
第３実施例は携帯端末の通信方法のプログラムに関するものである。図１および図２を参照すると、前述したように、携帯端末Ａ４１およびＢ５１の各々は、プログラム格納メモリ２４を含んでおり、プログラム格納メモリ２４には本発明に係る通信方法のプログラムが格納されている。そのプログラムとは、図２にフローチャートで示す通信手順のプログラムである。
【００７９】
携帯端末Ａ４１あるいはＢ５１のデータ処理・制御用プロセッサ９（コンピュータ）は、プログラム格納メモリ２４からそのプログラムを読み出し、そのプログラムに従って各部位を制御する。その制御の内容は既に述べたので、ここでの説明は省略する。
【００８０】
以上説明したように、本発明の第３実施例によれば、第１実施例と同様の効果を奏する通信方法のプログラムが得られる。
【実施例４】
【００８１】
上記第１〜第３実施例では、２台の携帯端末を接続する場合について説明したが、本発明はこれに限定するものではなく、３台以上の接続も可能である。すなわち、図２を参照すると、携帯端末Ａ４１の外部コネクタ１８に携帯端末Ｂ５１からの接続ケーブル２５と、他の携帯端末からの接続ケーブルとを並列に接続することが可能である。
【００８２】
以上説明したように、本発明の第４実施例によれば、任意の台数の携帯端末の接続が可能となる。
【００８３】
すなわち、本発明は、以下に記載するような効果を奏する。
【００８４】
第１の効果は携帯電話２台分の受信回路を用いてダイバーシティ受信できる構成としているので、端末１台あたりの回路および消費電流を増加させずに受信感度を改善できることである。
【００８５】
第２の効果は携帯電話２台分のプロセッサを用いてデータ処理を行える構成としているので、端末１台あたりの回路および消費電流を増加させずに処理能力を向上させ、高速なデータ伝送ができることである。
【００８６】
第３の効果は携帯電話２台分のスピーカおよび画面表示部を利用できる構成としているので、端末１台あたりの回路および消費電流を増加させずに画面および音声の出力能力が向上することである。
【図面の簡単な説明】
【００８７】
【図１】本発明に係る携帯端末の第１実施例の構成図である。
【図２】本発明に係る携帯端末を一例として２台、外部コネクタ１８を介して電気的に接続した状態を示す構成図である。
【図３】本発明に係る携帯端末の通信方法の手順の一例を示すフローチャートである。
【図４】従来のこの種の携帯端末の一例の構成図である。
【符号の説明】
【００８８】
１  アンテナ
２  アンテナ共用器
３  受信回路
４  アナログ／デジタル変換部（Ａ／Ｄ）
５  フィンガー部
６  レイク（Ｒａｋｅ）合成部
７、１７、２０  スイッチ
８  復号化回路
９  データ処理・制御用プロセッサ
９ａ  外部制御入出力端子
１０  データメモリ
１１  符号化回路
１２  拡散・変調部
１３  デジタル／アナログ変換部（Ｄ／Ａ）
１４  送信回路
１６  発振器
１８  外部コネクタ
１９  基準カウンタ
２１  画像表示部
２２  スピーカ
２３  キー入力部
２４  プログラム格納メモリ
３１  送受信装置
【図１】
2008060748.tif 000003
【図２】
2008060748.tif 000004
【図３】
2008060748.tif 000005
【図４】
2008060748.tif 000006